【手続補正書】
【提出日】平成17年9月15日(2005.9.15)
【手続補正１】
【補正対象書類名】明細書
【補正対象項目名】請求項１
【補正方法】変更
【補正の内容】
【請求項１】 
感光体表面を帯電させる帯電工程と、
前記帯電された感光体表面に静電潜像を形成する潜像形成工程と、
現像ユニット中のトナーを含む現像剤と感光体との間の電界の作用により、前記静電潜像にトナーを供給し静電潜像を可視化することによりトナー像を形成する現像工程と、
前記トナー像を、中間転写体を介してまたは介さずに、転写材上に転写する転写工程と、定着体とこの定着体に押圧された加圧体とにより形成されるニップ部に、前記転写材を通過させて、前記トナー像を前記転写材に加熱接触圧着させる定着工程とを有し、
前記定着体は加圧体のみを接触部材としており、前記定着工程においては、定着体の長手方向における長さをＬとした時の定着体両端からＬ/６までの部分以外の位置に備えられ
た非接触型の温度検知手段により、定着体の表面近傍の温度をこの定着体の表面温度として検知して、定着体の温度を制御しており、
前記トナーは、結着樹脂と着色剤と離型剤とを少なくとも含有するトナー粒子と、無機微粒子とを有し、
前記トナーの重量平均粒径Ｄ４が５〜１０μｍであり、且つ粒径が４μｍ以下のトナーのトナー全体に対する個数％が２５％以下であり、
前記トナーのカーの流動性指数が５０〜９８であり、且つカーの噴粒性指数が６５〜９８であることを特徴とする画像形成方法。
【手続補正２】
【補正対象書類名】明細書
【補正対象項目名】請求項３０
【補正方法】変更
【補正の内容】
【請求項３０】
感光体表面に担持された静電潜像を可視化するためのトナーであって、
（Ｉ）感光体表面を帯電させる帯電工程と、（II）前記帯電された感光体表面に静電潜像を形成する潜像形成工程と、（III）現像ユニット中のトナーを含む現像剤と感光体との
間の電界の作用により、前記静電潜像にトナーを供給し静電潜像を可視化することによりトナー像を形成する現像工程と、（IV）前記トナー像を、中間転写体を介して又は介さずに、転写材上に転写する転写工程と、（Ｖ）定着体とこの定着体に押圧された加圧体とに
より形成されるニップ部に、前記転写材を通過させて、前記トナー像を前記転写材に加熱接触圧着させる定着工程とを有し、前記定着体は加圧体のみを接触部材としており、前記定着工程においては、定着体の長手方向における長さをＬとした時の定着体両端からＬ/
６までの部分以外の位置に備えられた非接触型の温度検知手段により、定着体の表面近傍の温度をこの定着体の表面温度として検知して、定着体の温度を制御する画像形成方法に適用され、
前記トナーは、結着樹脂と着色剤と離型剤とを少なくとも含有するトナー粒子と、無機微粒子とを有し、
前記トナーの重量平均粒径Ｄ４が５〜１０μｍであり、且つ粒径が４μｍ以下のトナーのトナー全体に対する個数％が２５％以下であり、
前記トナーのカーの流動性指数が５０〜９８であり、且つカーの噴粒性指数が６５〜９８であることを特徴とするトナー。
【手続補正３】
【補正対象書類名】明細書
【補正対象項目名】００２４
【補正方法】変更
【補正の内容】
【００２４】
上記方式は、長期にわたり高画質化を維持できるものの、交流成分を印加することで、帯電部位に介在したトナーが帯電部材または感光体に強固に付着しやすい。トナーが感光体に付着された場合は所謂トナー融着となり、帯電部材に付着された場合は帯電不良を引き起こし、両者とも付着部分に応じた画像欠陥となる。
【手続補正４】
【補正対象書類名】明細書
【補正対象項目名】００３１
【補正方法】変更
【補正の内容】
【００３１】
（１）感光体表面を帯電させる帯電工程と、
前記帯電された感光体表面に静電潜像を形成する潜像形成工程と、
現像ユニット中のトナーを含む現像剤と感光体との間の電界の作用により、前記静電潜像にトナーを供給し静電潜像を可視化することによりトナー像を形成する現像工程と、
前記トナー像を、中間転写体を介してまたは介さずに、転写材上に転写する転写工程と、定着体とこの定着体に押圧された加圧体とにより形成されるニップ部に、前記転写材を通過させて、前記トナー像を前記転写材に加熱接触圧着させる定着工程とを有し、
前記定着体は加圧体のみを接触部材としており、前記定着工程においては、定着体の長手方向における長さをＬとした時の定着体両端からＬ/６までの部分以外の位置に備えられ
た非接触型の温度検知手段により、定着体の表面近傍の温度をこの定着体の表面温度として検知して、定着体の温度を制御しており、
前記トナーは、結着樹脂と着色剤と離型剤とを少なくとも含有するトナー粒子と、無機微粒子とを有し、
前記トナーの重量平均粒径Ｄ４が５〜１０μｍであり、且つ粒径が４μｍ以下のトナーのトナー全体に対する個数％が２５％以下であり、
前記トナーのカーの流動性指数が５０〜９８であり、且つカーの噴粒性指数が６５〜９８であることを特徴とする画像形成方法。
【手続補正５】
【補正対象書類名】明細書
【補正対象項目名】００６１
【補正方法】変更
【補正の内容】
【００６１】
（３０）感光体表面に担持された静電潜像を可視化するためのトナーであって、
（Ｉ）感光体表面を帯電させる帯電工程と、（II）前記帯電された感光体表面に静電潜像を形成する潜像形成工程と、（III）現像ユニット中のトナーを含む現像剤と感光体との
間の電界の作用により、前記静電潜像にトナーを供給し静電潜像を可視化することによりトナー像を形成する現像工程と、（IV）前記トナー像を、中間転写体を介して又は介さずに、転写材上に転写する転写工程と、（Ｖ）定着体とこの定着体に押圧された加圧体とにより形成されるニップ部に、前記転写材を通過させて、前記トナー像を前記転写材に加熱接触圧着させる定着工程とを有し、前記定着体は加圧体のみを接触部材としており、前記定着工程においては、定着体の長手方向における長さをＬとした時の定着体両端からＬ/
６までの部分以外の位置に備えられた非接触型の温度検知手段により、定着体の表面近傍の温度をこの定着体の表面温度として検知して、定着体の温度を制御する画像形成方法に適用され、
前記トナーは、結着樹脂と着色剤と離型剤とを少なくとも含有するトナー粒子と、無機微粒子とを有し、
前記トナーの重量平均粒径Ｄ４が５〜１０μｍであり、且つ粒径が４μｍ以下のトナーのトナー全体に対する個数％が２５％以下であり、
前記トナーのカーの流動性指数が５０〜９８であり、且つカーの噴粒性指数が６５〜９８であることを特徴とするトナー。
【手続補正６】
【補正対象書類名】明細書
【補正対象項目名】００９１
【補正方法】変更
【補正の内容】
【００９１】
【発明の実施の形態】
本発明の画像形成方法は、感光体表面に担持された静電潜像をトナーによって可視化してトナー像を形成し、このトナー像を転写材に転写して定着させるものである。そして、本発明の画像形成方法は、定着体と加圧体とにより形成されるニップ部に、トナー像が転写された転写材を通過させて、トナー像を転写材に加熱接触圧着させる定着工程を有し、定着体は加圧体のみを接触部材としており、定着工程においては、定着体の長手方向における長さをＬとした時の定着体両端からＬ/６までの部分以外の位置に備えられた非接触
型の温度検知手段により、定着体の表面近傍の温度を定着体の表面温度として検知して、定着体の温度を制御することを特徴とする。また、本発明のトナーは、結着樹脂と着色剤と離型剤とを少なくとも含有するトナー粒子と、無機微粒子とを有し、重量平均粒径Ｄ４が５〜１０μｍであり、粒径が４μｍ以下のトナーのトナー全体に対する個数％が２５％以下であり、カーの流動性指数が５０〜９８であり、且つカーの噴粒性指数が６５〜９８であることを特徴とする。
【手続補正７】
【補正対象書類名】明細書
【補正対象項目名】０１０２
【補正方法】変更
【補正の内容】
【０１０２】
また、本発明のトナーは粒径が１２．７μｍ以上のトナーのトナー全体に対する割合が３．５体積％以下であることが好ましく、より好ましくは１．５体積％以下であり、さらに好ましくは０．８体積％以下である。
【手続補正８】
【補正対象書類名】明細書
【補正対象項目名】０１３７
【補正方法】変更
【補正の内容】
【０１３７】
離型剤の分子量としては、質量平均分子量（Ｍｗ）が３００〜１，５００のものが好ましい。質量平均分子量が３００未満になると離型剤のトナー粒子表面への露出が生じ易く、現像性が悪化し、高温高湿環境下でのカブリが悪くなる場合がある。また、帯電ローラーへの汚染も著しくなりやすい。一方、質量平均分子量が１，５００を超えると低温定着性が低下し、かつオーバーヘッドプロジェクターシート（ＯＨＴ）に画像を形成した際の透明性も悪化する。
【手続補正９】
【補正対象書類名】明細書
【補正対象項目名】０１４２
【補正方法】変更
【補正の内容】
【０１４２】
本発明で用いられる離型剤の針入度はＪＩＳ  Ｋ２２３５に準拠し測定される。測定温度は２５℃とする。上記離型剤の針入度は１５度以下、より好ましくは８度以下である。離型剤の針入度が１５度を超える場合には、離型剤の吸熱ピーク値の半値幅が１０℃を超える場合と同様に、感光体や帯電ローラーへの汚染を促進させてしまう。
【手続補正１０】
【補正対象書類名】明細書
【補正対象項目名】０２７２
【補正方法】変更
【補正の内容】
【０２７２】
本発明の画像形成方法について、さらに詳しく説明する。本発明の画像形成方法は、（Ｉ）感光体表面を帯電させる帯電工程と、（II）帯電された感光体表面に静電潜像を形成する潜像形成工程と、（III）現像ユニット中のトナーを含む現像剤と感光体との間の電界
の作用により、上記静電潜像にトナーを供給し静電潜像を可視化することによりトナー像を形成する現像工程と、（IV）上記トナー像を、中間転写体を介してまたは介さずに、転写材上に転写する転写工程と、（Ｖ）定着体とこの定着体に押圧された加圧体とにより形成されるニップ部に、上記転写材を通過させて、トナー像を転写材に加熱接触圧着させる定着工程とを有する。
【手続補正１１】
【補正対象書類名】明細書
【補正対象項目名】０２７３
【補正方法】変更
【補正の内容】
【０２７３】
以下、本発明の画像形成方法の一例を図面を参照しながら以下に説明する。図１は、本発明の画像形成方法を適用した画像形成装置の一例を示す部分的模式図である。詳細は後述するが、この画像形成装置は、静電潜像を担持する感光体としての感光ドラム１と、この感光ドラム１表面を帯電させる帯電手段２と、帯電された感光ドラム１表面に静電潜像を形成する図示せぬ書き込み手段と、感光ドラム１表面に形成された静電潜像をトナーにより可視化して、トナー像を形成する現像する現像装置４と、現像装置４により形成されたトナー像を転写材２５に転写する転写手段としての転写ブレード２７とを有している。
【手続補正１２】
【補正対象書類名】明細書
【補正対象項目名】０４８７
【補正方法】変更
【補正の内容】
【０４８７】
〈実施例２８〉
実施例２２において、現像剤Ｎｏ．１９の代わりに現像剤Ｎｏ．２５を用いた以外は上記実施例２２と同様にして評価を行った。その評価結果を表８および表９に示す。耐久後の画質が初期に比べ若干劣るものの、実使用上許容できるレベルであった。その他の画像特性に関しては、実施例２３とほぼ同様のものであった。